(57)【要約】【課題】検出スイッチを構成するコンタクトの接点部が上下方向に移動することによってワイピング動作を実行できると共に、カード挿入方向の長さを短くすることができる、カードの挿入及び抜去を検出するための検出スイッチを有するカードコネクタを提供する。【解決手段】カードコネクタ１において、カード６０の挿入及び抜去を検出するための検出スイッチ４０は、カード６０の挿入時に、カード６０の先端が第１コンタクト４１のカム部４１ｂに当接する。カード６０の挿入が進行すると、カード６０がカム部４１ｂを下降させつつその上に乗り上げ、第１接点部４１ｃが下降して第２接点部４２ｄに対してワイピング動作する。カード６０の挿入が更に進行すると、カード６０の先端が第１接点部４１ｃの上方を通過して第２接点部４２ｄに当接する。カード６０の挿入が更に進行すると、第２接点部４２ｄが第１接点部４１ｃから離間する。【選択図】図５
2014165011.tif 000002
【特許請求の範囲】
【請求項１】
カードを受容するハウジングに取り付けられた、カードの挿入及び抜去を検出するための検出スイッチを有するカードコネクタであって、
前記検出スイッチは、互いに接離する第１及び第２コンタクトからなり、前記第１コンタクトは、前記カードの挿入径路の途中に配置されると共に、前記ハウジングに固定される固定部と、該固定部から延び前記カードと係合するカム部と、該カム部から延びる第１接点部とを備え、前記第２コンタクトは、前記ハウジングに固定される固定部と、該固定部から延びる弾性アーム部と、該弾性アーム部から延び、前記第１接点部よりカード挿入方向の奥側に位置して前記第１接点部に対して弾性的に接触する第２接点部とを備え、
前記カードの挿入時に、前記カードの先端が前記第１コンタクトの前記カム部に当接し、前記カードの挿入が進行すると、前記カードが前記カム部を下降させつつその上に乗り上げ、前記第１接点部が下降して前記第２接点部に対してワイピング動作し、前記カードの挿入が更に進行すると、前記第１接点部のワイピング動作が終了すると共に、前記カードの先端が前記第１接点部の上方を通過して前記第２接点部に当接し、前記カードの挿入が更に進行すると、前記カードの先端が前記第２接点部をカード挿入方向の奥側に押圧移動させて、前記第２接点部が前記第１接点部から離間するようになっていることを特徴とするカードコネクタ。
【請求項２】
前記第１コンタクトは、前記ハウジングに固定されたグランドプレートから延びるグランドコンタクトであり、前記第１コンタクトは、前記第２接点部が前記第１接点部から離間した状態で前記カードの裏面に形成されたグランド用パッドに接触可能であることを特徴とする請求項１記載のカードコネクタ。
【発明の詳細な説明】
【技術分野】
【０００１】
本発明は、カードの挿入及び抜去を検出するための検出スイッチを有するカードコネクタに関する。
【背景技術】
【０００２】
従来、例えば、メモリカードやＳＩＭ（加入者識別モジュール）カードなどのカードを受容するカードコネクタなどにおいては、そのカードの挿入及び抜去を検出するための検出スイッチを有しているのが一般的である。
従来のこの種のカードコネクタの一例として、例えば、図１２及び図１３に示すものが知られている。図１２は、従来のカードコネクタの一例を示し、（Ａ）はカバーを外した状態の斜視図、（Ｂ）は要部拡大斜視図である。図１３は、図１２に示すカードコネクタに設けられた検出スイッチの動作を示し、（Ａ）はカードが第１コンタクトの摺接部に当接する前の状態の断面図、（Ｂ）はカードが第１コンタクトの摺接部に当接した状態の断面図、（Ｃ）はカードが第１コンタクトの摺接部上に乗り上げた状態の断面図、（Ｄ）はカードが第２コタクトの当接部に当接して接点部が第１コンタクトの接点部から離間した状態の断面図である。
【０００３】
図１２（Ａ），（Ｂ）に示すカードコネクタ１０１は、カード１４０が矢印Ａ方向に挿入されると共に矢印Ｂ方向に抜去されるものであり、カード１４０を受容するハウジング１１０を備えている。ハウジング１１０には、カード１４０の裏面に設けられた複数の導電パッド１４１に接触する複数のコンタクト１２０が設けられている。
そして、ハウジング１１０のカード挿入方向（矢印Ａ方向）の奥端には、カードの挿入を検出するための検出スイッチ１３０が設けられている。この検出スイッチ１３０は、互いに接離する第１コンタクト１３１及び第２コンタクト１３２からなる。
【０００４】
第１コンタクト１３１は、図１２（Ｂ）に示すように、一端がハウジング１１０に固定され、他端がカード挿入方向に直交するハウジング１１０の幅方向（図１２（Ｂ）における左右方向）に延びる板ばね部材である。第１コンタクト１３１は、ハウジング１１０に固定された一端を固定端として他端が矢印Ｃ及びＤで示す上下方向に変位可能となっている。そして、第１コンタクト１３１の他端近傍には、カード１４０に摺接する摺接部１３３が設けられている。また、第１コンタクト１３１の他端には、上下方向に延びる接点部１３４が設けられている。
【０００５】
また、第２コンタクト１３２は、一端がハウジング１１０に固定され、他端が第１コンタクト１３１側に向けてハウジング１１０の幅方向に延びる板ばね部材である。第２コンタクト１３２の他端近傍には、カード１４０が当接する当接部１３６が設けられている。第２コンタクト１３２の他端には、第１コンタクト１３１の接点部１３４の後面に接触する接点部１３５が設けられている。接点部１３５は、第１コンタンクト１３１の接点部１３４の後面に弾性的に接触している。
【０００６】
そして、カード１４０の挿入作業時において、図１３（Ａ）に示すカード１４０が第１コンタクト１３１の摺接部１３３に当接する前の状態では、第２コンタクト１３２の接点部１３５が第１コンタクト１３１の接点部１３４に接触しており、スイッチが閉状態になっている。
この状態からカード１４０を矢印Ａ方向に進行させる。すると、図１３（Ｂ）に示すように、カード１４０の先端が第１コンタクト１３１の摺接部１３３の湾曲したガイド面に接触する。
【０００７】
そして、カード１４０の挿入が進行すると、図１３（Ｃ）に示すように、カード１４０が摺接部１３３を下降させつつその上に乗り上げる。このとき、第１コンタクト１３１の接点部１３４も下降し、この接点部１３４が第２コンタクト１３２の接点部１３５に対して摺動する。即ち、いわゆるワイピング動作が実行され、接点部１３４、１３５に付着した異物が払い取られる。
更に、カード１４０の挿入が進行すると、図１３（Ｄ）に示すように、カード１４０の先端が第２コンタクト１３２の接点部１３５をカード挿入方向に押圧移動させ、接点部１３５が第１コンタクト１３１の接点部１３４から離間する。これにより、スイッチが開状態となり、カード１４０の挿入が検知される。
【０００８】
また、カードの抜去作業時の動作は、上述した挿入作業時の動作と逆になり、このカードの抜去作業時にもワイピング動作が実行される。
このカードコネクタ１０１によれば、第１コンタクト１３１の接点部１３４が上下方向に移動することによってワイピング動作が実行される。このため、検出スイッチ１３０の動作ストロークが短くても、第１及び第２コンタクト１３１、１３２間に充分かつ確実なワイピング動作が得られることになる。
【先行技術文献】
【特許文献】
【０００９】
【特許文献１】特開２００２−２５２０４５号公報
【発明の概要】
【発明が解決しようとする課題】
【００１０】
しかしながら、この従来の図１２及び図１３に示したカードコネクタ１０１にあっては、以下の問題点があった。
即ち、カードコネクタ１０１の場合、図１３（Ｄ）に示すように、カード１４０の挿入が完了した状態でも、ワイピング動作をする第１コンタクト１３１の接点部１３４がカード１４０の先端よりも矢印Ａで示すカード挿入方向の奥側に残るように配置されている。このため、カードコネクタ１０１のカード挿入方向の長さを短くすることに限界がある。
【００１１】
従って、本発明はこの問題点に鑑みてなされたものであり、その目的は、検出スイッチを構成するコンタクトの接点部が上下方向に移動することによってワイピング動作を実行できると共に、カード挿入方向の長さを短くすることができる、カードの挿入及び抜去を検出するための検出スイッチを有するカードコネクタを提供することにある。
【課題を解決するための手段】
【００１２】
上記目的を達成するために、本発明のある態様に係るカードコネクタは、カードを受容するハウジングに取り付けられた、カードの挿入及び抜去を検出するための検出スイッチを有するカードコネクタであって、前記検出スイッチは、互いに接離する第１及び第２コンタクトからなり、前記第１コンタクトは、前記カードの挿入径路の途中に配置されると共に、前記ハウジングに固定される固定部と、該固定部から延び前記カードと係合するカム部と、該カム部から延びる第１接点部とを備え、前記第２コンタクトは、前記ハウジングに固定される固定部と、該固定部から延びる弾性アーム部と、該弾性アーム部から延び、前記第１接点部よりカード挿入方向の奥側に位置して前記第１接点部に対して弾性的に接触する第２接点部とを備え、前記カードの挿入時に、前記カードの先端が前記第１コンタクトの前記カム部に当接し、前記カードの挿入が進行すると、前記カードが前記カム部を下降させつつその上に乗り上げ、前記第１接点部が下降して前記第２接点部に対してワイピング動作し、前記カードの挿入が更に進行すると、前記第１接点部のワイピング動作が終了すると共に、前記カードの先端が前記第１接点部の上方を通過して前記第２接点部に当接し、前記カードの挿入が更に進行すると、前記カードの先端が前記第２接点部をカード挿入方向の奥側に押圧移動させて、前記第２接点部が前記第１接点部から離間するようになっていることを特徴としている。
【００１３】
また、このカードコネクタにおいて、前記第１コンタクトは、前記ハウジングに固定されたグランドプレートから延びるグランドコンタクトであり、前記第１コンタクトは、前記第２接点部が前記第１接点部から離間した状態で前記カードの裏面に形成されたグランド用パッドに接触可能であることが好ましい。
【発明の効果】
【００１４】
本発明に係るカードコネクタによれば、カードの挿入時に、カードが第１コンタクトのカム部に当接し、カードの挿入が進行すると、カードがカム部を下降させつつその上に乗り上げ、第１コンタクトの第１接点部が下降して第２コンタクトの第２接点部に対してワイピング動作する。また、カードの抜去時には、第１コンタクトはカードの挿入時と逆の動作をする。このため、検出スイッチの第１コンタクトの第１接点部が上下方向に移動することによってワイピング動作を実行でき、第１及び第２コンタクト間に充分かつ確実なワイピング動作が得られる。
【００１５】
また、カードの挿入が更に進行すると、第１接点部のワイピン動作が終了すると共に、カードの先端が第１接点部上方を通過して第２接点部に当接し、カードの挿入が更に進行すると、カードの先端が第２接点部をカード挿入方向の奥側に押圧移動させて、第２接点部が前記第１接点部から離間する。このため、カードの挿入が完了した状態では、ワイピング動作をする第１コンタクトの第１接点部はカードの下側に位置する。これにより、カードコネクタのカード挿入方向の長さを短くすることができる。
【図面の簡単な説明】
【００１６】
【図１】本発明に係るカードコネクタの実施形態の斜視図である。
【図２】図１に示すカードコネクタからシェルを取り外した状態の斜視図である。
【図３】カードの平面図である。
【図４】図１に示すカードコネクタにカードを挿入しカードの先端が第１コンタクトのカム部に当接する前の状態（カードの排出状態）の平面図である。
【図５】図４における５−５線に沿う断面図である。
【図６】図５に示す状態からカードの挿入を進行しカードの先端が第１コンタクトのカム部に当接した状態の図４における５−５線と同等の線に沿う断面図である。
【図７】図６に示す状態からカードの挿入を更に進行しカードの先端が第２コンタクトの第２接点部に当接した状態の図４における５−５線と同等の線に沿う断面図である。
【図８】図７に示す状態からカードの挿入を更に進行しカードの先端がハウジングの後壁に当接したカード押切状態の平面図である。
【図９】図８の９−９線に沿う断面図である。
【図１０】図８に示す状態からカードがカード排出方向に移動したカード嵌合状態の平面図である。
【図１１】図１０の１１−１１線に沿う断面図であり、（Ａ）はカードに形成されたグランドパッドの長さが短い場合の断面図、（Ｂ）はカードに形成されたグランドパッドの長さが長い場合の断面図である。
【図１２】従来のカードコネクタの一例を示し、（Ａ）はカバーを外した状態の斜視図、（Ｂ）は要部拡大斜視図である。
【図１３】図１２に示すカードコネクタに設けられた検出スイッチの動作を示し、（Ａ）カードが第１コンタクトの摺接部に当接する前の状態の断面図、（Ｂ）はカードが第１コンタクトの摺接部に当接した状態の断面図、（Ｃ）はカードが第１コンタクトの摺接部上に乗り上げた状態の断面図、（Ｄ）はカードが第２コタクトの当接部に当接して接点部が第１コンタクトの接点部から離間した状態の断面図である。
【発明を実施するための形態】
【００１７】
以下、本発明の実施の形態を図面を参照して説明する。
図１及び図２に示すカードコネクタ１は、図示しない回路基板上に実装される。そして、カードコネクタ１には、メモリカード、ＳＩＭカード等などのカード６０（図３参照）が、図４で示した矢印Ｘで示すカード挿入方向に挿入されると共に矢印Ｙで示すカード排出方向に抜去される。カードコネクタ１がカード６０を受容することにより、カード６０と回路基板との電気的接続が達成される。ここで、カード６０は、図３に示すように、左右方向及び前後方向に延びる略矩形体形状に形成され、その裏面には、複数の導電パッド６１〜６６が設けられている。複数の導電パッド６１〜６６のうち、符号６１で示すものはグランド用パッド、符号６２〜６６で示すものは信号用パッドである。グランド用パッド６１、信号用パッド６２及び６３は、図３に示すように、カード６０の裏面の前側において一列状に右から左にかけて所定ピッチで配置されている。信号用パッド６４〜６６は、カード６０の裏面の後側において一列状に右から左にかけて所定ピッチで配置されている。
そして、カードコネクタ１は、図２に示すように、絶縁性のハウジング１０と、金属製の複数のコンタクト２１〜２６と、金属製のシェル３０と、検出スイッチ４０と、イジェクト機構５０とを備えている。
【００１８】
ハウジング１０は、図２及び図４に示すように、前側（図４における下側）からカード６０を受容するように構成されている。ハウジング１０は、絶縁性の樹脂を成形することによって幅方向（図２及び図４における左右方向）及び前後方向に延びる略矩形形状に形成される。ハウジング１０は、幅方向及び前後方向に延びる略矩形形状の底壁１１を備えている。この底壁１１の前端右側部には、前端右壁１２が設けられ、底壁１１の左縁には、前端から後方に向けて延びる左側壁１４が設けられている。また、底壁１１の後端左側部には後端左壁１６が設けられると共に、底壁１１の後端右側部には後端右壁１５が設けられている。また、底壁１１の右縁には前端右壁１２と後端右壁１５とを連結するように延びる右側壁１３が設けられている。そして、ハウジング１０を覆うシェル３０（平面部３１）とハウジング１０の底壁１１との間にカード挿入空間１７が形成されている。カード６０は、図４、図８、及び図１０に示すように、ハウジング１０の前側からカード挿入空間１７内に挿入されて、矢印Ｘで示すカード挿入方向に進行する。また、カード６０は、ハウジング１０の後側から矢印Ｙで示すカード排出方向に排出される。ここで、カード６０をカード挿入空間１７内に挿入するときに、カード６０の左側面を左側壁１４の内側面が案内し、カード６０の右側面を前端右壁１２の内側案内面１２ａが案内する。
【００１９】
また、複数のコンタクト２１〜２６は、グランド用コンタクト２１と、信号用コンタクト２２〜２６とから構成されている。ここで、グランド用コンタクト２１及び信号用コンタクト２２及び２３は、図２に示すように、ハウジング１０の底壁１１の前後方向略中央部において一列状に右から左にかけて所定ピッチで取り付けられている。また、信号用コンタクト２４〜２６は、ハウジング１０の底壁１１の前側において一列状に右から左にかけて所定ピッチで取り付けられている。グランド用コンタクト２１は、図５に示すように、ハウジング１０の底壁１１にインサート成形された導電性のグランドプレート２７から延びている。各信号用コンタクト２２〜２６は、導電性金属板を打抜き及び曲げ加工することによって形成される。カード６０がカード挿入空間１７に挿入されると、カード６０の裏面に設けられたグランド用パッド６１にグランド用コンタクト２１が接触し、信号用パッド６２〜６６に信号用コンタクト２２〜２６がそれぞれ接触する。
【００２０】
また、シェル３０は、図１に示すように、ハウジング１０の少なくとも一部を覆うようにハウジング１０に取り付けられる。シェル３０は、ハウジング１０の上面を覆う平面部３１と、ハウジング１０の幅方向左右側面を覆う１対の側面部３２と、ハウジング１０の後面を覆う後面部３３とを備えている。平面部３１は、ハウジング１０の幅方向及び前後方向に延びる。各側面部３２は、平面部３１の幅方向各側面から下方に延びる。また、後面部３３は、平面部３１の後面から下方に延びている。シェル３０は、金属板を打抜き及び曲げ加工することによって形成される。
【００２１】
更に、検出スイッチ４０は、カード６０の挿入及び抜去を検出するためのものであり、図１に示すように、カードコネクタ１の後方側、即ちカード挿入方向奥側に配置される。検出スイッチ４０は、図２に示すように、互いに接離する第１コンタクト４１及び第２コンタクト４２からなる。検出スイッチ４０は、図４及び図５に示すように、カード６０の先端が第１コンタクト４１のカム部４１ｂに当接する前の状態においては、第１コンタクト４１が第２コンタクト４２に接触しスイッチが閉となる常閉型である。このスイッチが閉状態のときに、カードの抜去が検出される。そして、図８乃至図１１に示すように、カード６０の先端が第２コンタクト４２をカード挿入方向の奥側に押圧移動させて第２コンタクトが第１コンタクト４１から離間し、スイッチが開となる。このスイッチが開状態のときに、カードの挿入が検出される。
【００２２】
ここで、検出スイッチ４０を構成する第１コンタクト４１は、図５、図６、図７、図９、及び図１１に示すように、カード６０がカード挿入空間１７に挿入されてからカード嵌合状態に至るまでのカード６０の挿入径路の途中に配置される。具体的に述べると、第１コンタクト４１は、カード６０の挿入径路においてグランドコンタクト２１よりも後方側、即ちカード挿入方向の奥側に配置される。この第１コンタクト４１は、導電性金属板を打抜き及び曲げ加工することによって形成され、図５に示すように、ハウジング１０の底壁１１に固定される固定部４１ａを備えている。固定部４１ａは、ハウジング１０の底壁１１にインサート成形された導電性のグランドプレート２７から延びている。このため、第１コンタクト４１は、グランドコンタクトを構成している。第１コンタクト４１は、固定部４１ａを固定端とした片持ち梁状に形成され、その先端が図５で示した矢印Ｚ１で示す上方向及び矢印Ｚ２で示した下方向に変位可能となっている。そして、第１コンタクトは、固定部４１ａから後方向、即ち矢印Ｘで示すカード挿入方向かつ斜め上方向に延びるカム部４１ｂを備えている。このカム部４１ｂは、図５に示すように、カード挿入空間１７内に突出する。そして、このカム部４１ｂには、図６及び図７に示すように、カード６０の先端が係合し、第１コンタクト４１の先端にある、後述する第１接点４１ｃが上下動するようになっている。更に、第１コンタクト４１は、カム部４１ｂの先端から下方に向けて延びる接触部４１ｄを備え、その接触部４１ｄの先端に第１接点部４１ｃが設けられている。接触部４１ｄは、カード６０の裏面に接触し、後述する第２コンタクト４２の第２接点部４２ｄが第１接点部４１ｃから離間した状態でカード６０の裏面に形成されたグランド用パッド６１に接触可能となっている。第１接点部４１ｃは、導電性金属板を打抜いた際に形成される剪断角縁で形成される。
【００２３】
また、第２コンタクト４２は、図２に示すように、導電性金属板を打抜き及び曲げ加工することによって形成され、ハウジング１０の後端左壁１６に固定される固定部４２ａを備えている。第２コンタクト４２は、固定部４２ａを固定端とした片持ち梁状に形成され、その先端が後方向（矢印Ｘで示すカード挿入方向）及び前方向（矢印Ｙで示すカード排出方向）に変位可能となっている。そして、第２コンタクト４２は、固定部４２ａから幅方向右側かつやや斜め前方向に延びる第１弾性アーム部４２ｂと、第１弾性アーム部４２ｂの先端から幅方向右側かつ更に斜め前方向に延びる第２弾性アーム部４２ｃとを備えている。第１弾性アーム部４２ｂ及び第２弾性アーム部４２ｃにより請求項１に規定する弾性アーム部を構成する。更に、第２コンタクト４２は、第２弾性アーム部４２ｃの先端からハウジング１０の幅方向とほぼ平行に幅方向右側に延びる第２接点部４２ｄを備えている。第２接点部４２ｄは、図５に示すように、第１コンタクト４１の第１接点部４１ｃよりもカード挿入方向の奥側に位置している。そして、カード６０の先端が第２接点部４２ｄに当接する前の状態では、第２接点部４２ｄは第１接点部４１ｃに弾性的に接触する。第２接点部４２ｄは、上下方向に延びる平板で形成され、そのロール面に対して第１接点部４１ｃの剪断角縁が接触する。
【００２４】
更に、イジェクト機構５０は、いわゆるプッシュ−プッシュ作用によるカード６０の排出を可能とするもので、公知の構成を有する。簡単に述べると、イジェクト機構５０は、カード６０とともにカード挿入方向及びカード抜去方向に移動可能なスライダ５１を備えている。スライダ５１の表面には、ハート形のカム溝５２が形成され、ハウジング１０の前端右壁１２に軸支されたカムピン５３の先端がこのカム溝５２内に位置している。そして、スライダ５１とハウジング１０の後端右壁１５との間には、スライダ５１をカード排出方向に付勢するばね部材５４が配設されている。
【００２５】
次に、検出スイッチ４０の作用について、図４乃至図１１を参照して説明する。
先ず、カード６０がカードコネクタ１のカード挿入空間１７に挿入されていなかったり、あるいは、図４及び図５に示すように、当該カード挿入空間１７にカード６０を挿入しカード６０の先端が第１コンタクト４１のカム部４１ｂに当接する前の状態を考える。この場合、第２コンタクト４２の第２接点部４２ｄが第１コンタクト４１の第１接点部４１ｃに弾性的に接触しており、スイッチが閉となっている。これにより、カードは未挿入と検出される。
そして、この場合、カード６０の裏面に設けられたグランド用パッド６１にグランド用コンタクト２１は未だ接触せず、また、信号用パッド６２〜６６に信号用コンタクト２２〜２６は未だ接触していない。
【００２６】
次に、図４及び図５に示す状態からカード６０を矢印Ｘで示すカード挿入方向に進行させる。すると、図６に示すように、カード６０の先端が第１コンタクト４０のカム部４１ｂに当接する。そして、カード６０の挿入が進行すると、図７に示すように、カード６０がカム部４１ｂを下降させつつその上に乗り上げる。このとき、第１コンタクト４１の第１接点部４１ｃが下降して第２コンタクト４２の第２接点部４２ｄに対してワイピング動作する。そして、カード６０の挿入が更に進行すると、第１接点部４１ｃのワイピング動作が終了すると共に、カード６０の先端が第１接点部４１ｃの上方を通過して第２接点部４２ｄに当接する。
【００２７】
そして、図７に示す状態からカード６０の挿入を更に進行させてカード６０の先端がハウジング１０に設けられた後端左壁１６に当接するまで押し込む。すると、図８及び図９に示すカード押切状態となる。このカード押切状態では、カード６０の先端が第２コンタクト４２の第２接点部４２ｄをカード挿入方向の奥側に押圧移動させて、第２接点部４２ｄが第１コンタクト４１の第１接点部４１ｃから離間する。これにより、スイッチが開となり、カード６０の挿入が検出される。
このカード押切状態では、カード６０の裏面に設けられたグランド用パッド６１にグランド用コンタクト２１が接触し、また、信号用パッド６２〜６６に信号用コンタクト２２〜２６が接触する。
【００２８】
また、この際に、図９に示すように、グランドコンタクトを構成する第１コンタクト４１の接触部４１ｄは、カード６０の裏面に形成されたグランド用パッド６１に接触する。このため、第１コンタクト４１は、スイッチコンタクトとしての機能とグランドコンタクトとしての機能をも併せ持ち、グランドコンタクトを別個に設ける必要がなく、部品点数の減少及びコストの低減を図ることができる。また、第１コンタクト４１がカード６０のグランド用パッド６１に接触しても、第１コンタクト４１をグランドコンタクトとして機能させることは予定されている。このため、第１コンタクト４１がグランド用パッド６１に接触することによる短絡のおそれはない。
【００２９】
そして、図９に示すカード押切状態においてカード６０から手を離し解放すると、イジェクト機構５０の作用によって図１０及び図１１に示すようにカード６０が矢印Ｙで示すカード排出方向に移動し、カード嵌合状態となる。
このカード嵌合状態では、第２コンタクト４２の第２接点部４２ｄはカード６０の先端に当接したままであるが、第１コンタクト４１の第１接点部４１ｃとは離間している。このため、スイッチ開状態が維持され、カードの挿入が検出された状態が維持される。
【００３０】
また、このカード嵌合状態では、カード６０の裏面に設けられたグランド用パッド６１にグランド用コンタクト２１が接触した状態が維持され、また、信号用パッド６２〜６６に信号用コンタクト２２〜２６が接触した状態が維持される。
なお、グランドコンタクトを構成する第１コンタクト４１の接触部４１ｄについては、カード６０の嵌合状態では、図１１（Ａ）に示すように、カード６０の裏面に形成されたグランド用パッド６１の長さが短くて当該グランド用パッド６１に接触しない場合がある。また、図１１（Ｂ）に示すように、カード６０の裏面に形成されたグランド用パッド６１の長さが長くて第１コンタクト４１の接触部４１ｄが当該グランド用パッド６１に接触する場合もある。
【００３１】
一方、カード６０をカード挿入空間１７から抜き出すときには、カード６０をカード嵌合状態から一旦カード挿入方向に押圧する。そして、カード６０から手を離すと、イジェクト機構５０のばね部材５４の作用によってカード６０がカード排出方向に付勢され、これによりカード６０をカード挿入空間１７から抜き出すことができる。このカード６０抜去過程において、第１コンタクト４１及び第２コンタクト４２はカード６０の挿入過程と逆の動作をする。
【００３２】
つまり、図１０及び図１１に示すカード嵌合状態からカード６０を一旦カード挿入方向に押圧すると、図８及び図９に示すカード押切状態となる。この際には、カード６０の先端が第２コンタクト４２の第２接点部４２ｄをカード挿入方向の奥側に押圧移動させて、第２接点部４２ｄが第１コンタクト４１の第１接点部４１ｃから離間したままである。従って、スイッチの開状態が維持され、カードの挿入が検出された状態が維持される。
そして、このカード押切状態においてカード６０から手を離すと、イジェクト機構５０のばね部材５４の作用によってカード６０がカード排出方向に付勢され、図７及び図６に示す状態を経てから図５に示すカード排出状態となる。
【００３３】
ここで、カード押切状態から図７に示す状態になると、第２コンタクト４２の第２接点部４２ｄが第１コンタクト４１の第１接点部４１ｃに当接する。これにより、スイッチが閉状態となり、カードの未挿入が検出された状態となる。そして、図７に示す状態から図６に示す状態になると、カード６０の先端が第２コンタクト４２の第２接点部４２ｄから離れ、第１コンタクト４１のカム部４１ｂが上昇する。これにより、第１接点部４１ｃが上昇して第２接点部４２ｄに対してワイピング動作をする。図４及び図５に示すカード排出状態では、第２接点部４２ｄの第１接点部４１ｃに対する接触状態が維持され、スイッチの閉状態は維持される。
【００３４】
このように、本実施形態に係るカードコネクタ１によれば、カード６０の挿入時に、カード６０が第１コンタクト４１のカム部４１ｂに当接する。そして、カード６０の挿入が進行すると、カード６０がカム部４１ｂを下降させつつその上に乗り上げ、第１コンタクト４１の第１接点部４１ｃが下降して第２コンタクト４２の第２接点部４２ｄに対してワイピング動作する。また、カード６０の抜去時には、第１コンタクト４１はカード６０の挿入時と逆の動作をする。このため、検出スイッチ４０の第１コンタクト４１の第１接点部４１ｃが上下方向に移動することによってワイピング動作を実行でき、第１及び第２コンタクト４１，４２間に充分かつ確実なワイピング動作が得られる。
【００３５】
また、第１接点部４１ｃが下降して第２接点部４２ｄに対してワイピング動作をしてからカード６０の挿入が更に進行すると、第１接点部４１ｃのワイピング動作が終了する。同時に、カード６０の先端が第１接点部４１ｃの上方を通過して第２接点部４２ｄに当接する。そして、カード６０の挿入が更に進行すると、カード６０の先端が第２接点部４２ｄをカード挿入方向の奥側に押圧移動させて、第２接点部４２ｄが第１接点部４１ｃから離間する。このため、カード６０の挿入が完了した状態、即ちカード嵌合状態では、ワイピング動作をする第１コンタクト４１の第１接点部４１ｃはカードの下側に位置する。このため、カードコネクタ１のカード挿入方向の長さを短くすることができる。
【００３６】
なお、第２コンタクト４２の第２接点部４２ｄは、上下方向に延びる平板で形成され、そのロール面に対して第１コンタクト４１の第１接点部４１ｃの剪断角縁が接触するようになっている。このため、平面同士が接触する場合と比較して、第１接点部４１ｃが第２接点部４２ｄ対して接触するときのハーツストレス（Ｈｅｒtz  Ｓｔｒｅｓｓ）を高くすることができる。また、ワイピング動作時の接触圧を低くすることもできる。
【００３７】
以上、本発明の実施形態について説明してきたが、本発明はこれに限定されずに種々の変更、改良を行うことができる。
例えば、第２接点部４２ｄのロール面に対して第１コンタクト４１の第１接点部４１ｃの剪断角縁が接触するようにする必要は必ずしもない。
また、第１コンタクト４１は、スイッチコンタクトとしての機能の他に、グランドコンタクトとしての機能をも併せ持つ必要は必ずしもない。
【符号の説明】
【００３８】
１  カードコネクタ
１０  ハウジング
２７  グランドプレート
４０  検出スイッチ
４１  第１コンタクト
４１ａ  固定部
４１ｂ  カム部
４１ｃ  第１接点部
４２  第２コンタクト
４２ａ  固定部
４２ｂ  第１弾性アーム部（弾性アーム部）
４２ｃ  第２弾性アーム部（弾性アーム部）
４２ｄ  第２接点部
６０  カード
６１  グランド用パッド
【図１】
2014165011.tif 000003
【図２】
2014165011.tif 000004
【図３】
2014165011.tif 000005
【図４】
2014165011.tif 000006
【図５】
2014165011.tif 000007
【図６】
2014165011.tif 000008
【図７】
2014165011.tif 000009
【図８】
2014165011.tif 000010
【図９】
2014165011.tif 000011
【図１０】
2014165011.tif 000012
【図１１】
2014165011.tif 000013
【図１２】
2014165011.tif 000014
【図１３】
2014165011.tif 000015